(57)【特許請求の範囲】
【請求項１】
洗浄室に被洗浄物を出し入れする開口部が前方に向かって開口している本体部と、
回動軸が前記開口部の下部に回動可能に支持されることにより前記開口部を開閉可能とするドア部であって、前記ドア部を閉じたときに、前記洗浄室側に突出すると共に前記回動軸が延在する方向における両端部において上下方向に延在する延設部を有する前記ドア部と、
前記開口部の側縁部の内側に設けられると共に、前記前方に向かって開口する前記上下方向に延在する収容部と、を備え、
前記ドア部を閉じたときに前記前方から前記収容部に入り込んだ前記延設部と前記収容部との間の隙間によって、前記洗浄室の内部と外部とを連通する連通路が形成され、
前記連通路の一部において、前記隙間の間隔を前記上下方向における上側から下側に向かって段階的又は連続的に広くする隙間調整部が形成されており、
前記隙間調整部は、前記連通路における前記外部への出口部分又は前記洗浄室から前記連通路への入口部分に形成されている、洗浄機。
【請求項２】
前記収容部は、前記ドア部を閉じたときに前記延設部を挟んで前記洗浄室の側壁と対向する対向部と、前記側壁と前記対向部とを接続する接続部と、を有し、
前記延設部と前記側壁との間には、前記延設部との隙間の間隔を、前記上下方向における上側から下側に向けて段階的又は連続的に広くする隙間埋め部材が配置されることにより、前記隙間調整部が形成されている、請求項１に記載の洗浄機。
【請求項３】
前記隙間埋め部材は、前記側壁と前記対向部とによって挟まれる部分に配置される間隔保持部を有している、請求項２に記載の洗浄機。
【発明の詳細な説明】
【技術分野】
【０００１】
本発明は、ドア部の下端部を回動軸として回動させることで、洗浄室の開閉が行われる洗浄機に関する。
【背景技術】
【０００２】
本体部の洗浄室に食器類を収容した食器類を洗浄する洗浄機が知られている。このような洗浄機では、食器類の洗浄に高温の水が用いられる。この場合、湯気の発生によって洗浄室内の内圧が高められ、洗浄室を開閉するドア部が開くおそれがある。このような問題に対し、例えば特許文献１の洗浄機では、洗浄室と洗浄室を開閉するドア部（洗浄室扉）との間に、洗浄室内で発生した湯気を洗浄室外に逃がす逃げ部を形成している。これにより、洗浄室内の圧力が高くなることを抑制し、ドア部が運転中に開かないようにしている。
【先行技術文献】
【特許文献】
【０００３】
【特許文献１】特開２００２−５１９６０号公報
【発明の概要】
【発明が解決しようとする課題】
【０００４】
このような洗浄機では、ドア部と本体部との間から洗浄室の外部に湯気が漏れ出て、湯気が外気に触れる部分近傍のドア部及び本体部に結露が発生する。結露の発生量が多い場合には、水滴となって床面に落ち、床面を濡らす場合がある。
【０００５】
そこで、本発明の目的は、ドア部と本体部との間から洗浄室の外部に漏れ出す湯気の量を低減し、結露の発生を抑制することができる洗浄機を提供することが目的とする。
【課題を解決するための手段】
【０００６】
本発明の洗浄機は、洗浄室に被洗浄物を出し入れする開口部が前方に向かって開口している本体部と、回動軸が開口部の下部に回動可能に支持されることにより開口部を開閉可能とするドア部であって、ドア部を閉じたときに、洗浄室側に突出すると共に回動軸が延在する方向における両端部において上下方向に延在する延設部を有するドア部と、開口部の側縁部の内側に設けられると共に、前方に向かって開口する上下方向に延在する収容部と、を備える。ドア部を閉じたときに前方から収容部に入り込んだ延設部と収容部との間の隙間は、洗浄室の内部と外部とを連通する連通路を形成し、連通路の一部において、隙間の間隔を上下方向における上側から下側に向かって段階的又は連続的に広くする隙間調整部が形成されている。
【０００７】
この構成の洗浄機では、ドア部を閉じたときにドア部の左右両端から湯気を逃がす連通路を形成することにより、洗浄室内の内圧が上昇することを抑制している。そして、連通路を形成するドア部の延設部と収容部との間の隙間が、上下方向において上側ほど狭く、下側ほど広くなるように形成されている部分がある。これにより、一般的に洗浄室内において上方に流れる湯気が、連通路を通って洗浄室の外部に漏れだすことを抑制することができる。この結果、ドア部と本体部との間から洗浄室の外部に漏れ出す湯気の量を低減し、結露の発生を抑制することができる。
【０００８】
本発明の洗浄機では、隙間調整部は、連通路における外部への出口部分に形成されていてもよい。
【０００９】
この構成の洗浄機では、連通路の外部への出口部分が上下方向において上側ほど狭く、下側ほど広くなるように形成されているので、湯気が外部に漏れだすことを抑制することができる。これにより、より確実に結露の発生を抑制することができる。
【００１０】
本発明の洗浄機では、収容部は、ドア部を閉じたときに延設部を挟んで洗浄室の側壁と対向する対向部と、側壁と対向部とを接続する接続部と、を有しており、延設部と側壁との間には、延設部との隙間の間隔を、上下方向における上側から下側に向けて段階的又は連続的に広くする隙間埋め部材が配置されることにより隙間調整部が形成されてもよい。
【００１１】
この構成の洗浄機では、ドア部を閉じた際の延設部の収容部を簡易に形成することができる。また、湯気の通り道となる連通路において、隙間の間隔を上下方向における上側から下側に向けて段階的又は連続的に広くする構成を容易に実現できる。
【００１２】
本発明の洗浄機では、隙間埋め部材は、側壁と対向部とによって挟まれる部分に配置される間隔保持部を有してもよい。
【００１３】
この構成の洗浄機では、側壁と対向部とによって挟まれる空間に隙間埋め部材を介在させるので、対向部の強度を補強することができる。これにより、対向部が板状部材を曲げ加工することにより形成される比較的変形に弱い部材であっても、対向部の形状が変形することを抑制できる。
【発明の効果】
【００１４】
本発明によれば、本発明の目的は、ドア部と本体部との間から洗浄室の外部に漏れ出す湯気の量を低減し、結露の発生を抑制することができる。
【図面の簡単な説明】
【００１５】
【図１】一実施形態に係る食器洗浄機を示す斜視図である。
【図２】図１に示すＩＩＡ線−ＩＩＡ線に沿って切断した断面を上方から見た断面図、及び、図１に示すＩＩＢ線−ＩＩＢ線に沿った切断した断面を上方から見た断面図である。
【図３】図１に示す収容部の近傍を前方向から見た正面図である。
【図４】図２に示す隙間埋め部材を示す斜視図である。
【図５】他の実施形態に係るそれぞれの隙間埋め部材を正面から見た正面図である。
【発明を実施するための形態】
【００１６】
以下、図面を参照して一実施形態に係る食器洗浄機（洗浄機）について説明する。図面の説明において、同一要素には同一符号を付し、重複する説明を省略する。図面の寸法比率は、説明のものと必ずしも一致していない。なお、説明の便宜のため、図１において、前後方向、左右方向、及び上下方向をそれぞれ設定した。
【００１７】
図１に示されるように、食器洗浄機１は、洗浄室３の前面にドア部５が設けられたアンダーカウンタ式の洗浄機である。図１に示されるように、食器洗浄機１は、ステンレス製のパネルで覆われた本体部２を有している。本体部２は、食器（被洗浄物）をセットしたラックを出し入れする開口部３Ｂが前方に向かって開口している洗浄室３と、図示しない洗浄水ポンプ及びブースターなどが設けられている機械室７と、に区画されている。本体部２の底面の四隅には、脚部９が取り付けられている。
【００１８】
洗浄室３内には、ラックレール４１が配置されており、このラックレール４１上に、飲食後の皿や茶碗などの食器が並べられた格子状の食器ラックが載置される。洗浄室３の上部には、放射状に延びる３本のアームからなる上側洗浄ノズル１２Ａと、２本のアームからなる上側すすぎノズル１３Ａとがそれぞれ回転自在に配置されている。同様に、洗浄室３の下部には、放射状に延びる３本のアームからなる下側洗浄ノズル１２Ｂと、２本のアームからなる下側すすぎノズル１３Ｂとがそれぞれ回転自在に配置されている。食器ラックに並べられた食器は、上側及び下側洗浄ノズル１２Ａ，１２Ｂによって上下から洗浄水が噴射され、すすぎノズル１３Ａ，１３Ｂによって上下からすすぎ水が噴射される。
【００１９】
洗浄室３の底部３Ａには、機械室７内に突出するように洗浄水タンク１５が設けられている。洗浄水タンク１５には、洗浄水吸込口を介して洗浄水ポンプが接続されている。洗浄水ポンプの吐出口は、洗浄水吐出管を介して上側洗浄ノズル１２Ａ及び下側洗浄ノズル１２Ｂにそれぞれ接続されている。
【００２０】
機械室７内には、上側すすぎノズル１３Ａ及び下側すすぎノズル１３Ｂにすすぎ水を供給するブースターが配置されている。ブースターの吐出口は、すすぎ水吐出管を介して上側すすぎノズル１３Ａ及び下側すすぎノズル１３Ｂにそれぞれ接続されている。また、機械室７内には、食器洗浄機１の動作全般を制御するマイクロコンピュータ（図示せず）が内蔵された電装ボックス（図示せず）などが収容されている。
【００２１】
次に、本体部２において洗浄室３の開口部３Ｂを開閉するドア部５について説明する。洗浄室３の前面には、開口部３Ｂを開閉するドア部５が設けられている。ドア部５は、左右方向に延在する回動軸が開口部３Ｂの下部に回動可能に支持されている。具体的には、ドア部５の下端部５Ａの左右方向両端に設けられた回動部材５１のそれぞれに設けられた回動軸が軸支部５１Ａにて軸支されている。これにより、上端部５Ｂが前方に回動することにより、開口部３Ｂが開閉される。
【００２２】
以下、ドア部５が鉛直方向に起立状態に維持されて開口部３Ｂを覆う状態をドア部５の閉状態、ドア部５が水平状態に維持されて開口部３Ｂが開放される状態をドア部の開状態（図１に示すドア部５の状態）として説明する。
【００２３】
図１に示されるように、ドア部５の裏面（ドア部５を閉じたときの洗浄室３側の面）における上端部５Ｂには、ドア部５の開状態において上方に突出した状態で、食器洗浄機１の左右方向に延在する突出部５３が形成されている。ドア部５を閉状態とした際に、突出部５３が本体部２に接触する部分には、パッキン（図示せず）が設けられている。これにより、ドア部５を閉状態としたときに、ドア部５の上端部５Ｂから洗浄室３内部の湯気が洗浄室３の外部に漏れだすことを防止する。
【００２４】
ドア部５の裏面（ドア部５を閉じたときの洗浄室３側の面）における側端部５Ｃ，５Ｄには、図１に示されるように、ドア部５の開状態において上方に突出した状態で、食器洗浄機１の前後方向に延在するラック案内板（延設部）５５が形成されている。ラック案内板５５は、ラックを洗浄室３に出し入れする際に、左右方向の移動を規制するための部材である。なお、ドア部５の閉状態において、ラック案内板５５は、洗浄室３側に突出すると共に上下方向に延在する。
【００２５】
図２（Ａ）及び図２（Ｂ）に示されるように、開口部３Ｂの側縁部となる洗浄室３の側壁３１の内側には、水漏れ防止板３３が設けられている。水漏れ防止板３３は、側壁３１に固定される部分である固定部３３Ａと、側壁３１と対向する位置に配置される部分である対向部３３Ｃと、固定部３３Ａと対向部３３Ｃとを接続する部分である接続部３３Ｂとを有している。水漏れ防止板３３は、固定部３３Ａ及び接続部３３Ｂと、接続部３３Ｂ及び対向部３３Ｃとが互いに直交するクランク状の板状部材である。
【００２６】
図２（Ａ）及び図２（Ｂ）に示されるように、側壁３１と接続部３３Ｂと対向部３３Ｃとによって囲まれる空間には、図４に示されるような、Ｌ字状の隙間埋め部材３５が配置されている。隙間埋め部材３５は、樹脂などを材料としてインジェクション成形などにより成形されている。隙間埋め部材３５は、側壁３１及び水漏れ防止板３３にビスなどの固定部材によって固定されている。
【００２７】
隙間埋め部材３５は、間隔保持部３５Ａと隙間調整部３５Ｂとを有している。間隔保持部３５Ａは、側壁３１と接続部３３Ｂと対向部３３Ｃとによって囲まれる空間に配置された際に、側壁３１と接続部３３Ｂと対向部３３Ｃとにそれぞれ接触可能な形状に形成されている。言い換えれば、間隔保持部３５Ａは、側壁３１と対向部３３Ｃとの間の空間に介在するように配置され、側壁３１と対向部３３Ｃとの間の間隔を一定に保持する。
【００２８】
隙間調整部３５Ｂは、側壁３１と接続部３３Ｂと対向部３３Ｃとによって囲まれる空間に配置された際に、ラック案内板５５と側壁３１との間に配置されるように形成されている。図３に示されるように、隙間調整部３５Ｂは、ラック案内板５５との距離（隙間の間隔）が、上下方向における上側から下側に向けて連続的に長くなるように形成（Ｇ１＜Ｇ２）されている。つまり、隙間調整部３５Ｂは、図３に示される前方向から正面視した場合、左右方向の肉厚が上下方向における上側から下側に向けて連続的に薄くするように形成（ｔ１＞ｔ２）されている。
【００２９】
図２（Ａ）、図２（Ｂ）及び図３に示されるように、上述した側壁３１、水漏れ防止板３３及び隙間埋め部材３５は、前方向（前方）に向かって開口すると共に上下方向に延在する収容部３２（図３における着色部分）を形成している。収容部３２は、開口部３Ｂの側縁部となる洗浄室３の側壁３１の内側に形成される。収容部３２は、ドア部５を閉じたときにドア部５のラック案内板５５を収容可能となっている。具体的には、収容部３２は、閉状態におけるドア部５のラック案内板５５が入り込むことが可能な収容空間３２Ａを有している。
【００３０】
このような構成の食器洗浄機１においてドア部５が閉状態となると、ラック案内板５５と収容部３２との間には隙間が形成される。この隙間は、洗浄室３の内部と外部とを連通する連通路Ｐを形成する。このような連通路Ｐが形成されることにより、洗浄室３の内部で発生した湯気を洗浄室３の外部に逃がすことができる。
【００３１】
上述したとおり、ラック案内板５５と側壁３１との間には、ラック案内板５５との距離（隙間の間隔）を調整する隙間埋め部材３５の一部（隙間調整部３５Ｂ）が配置されている。このため、連通路Ｐの外部への出口部分におけるラック案内板５５と隙間調整部３５Ｂとの隙間の間隔は、図３に示される前方から正面視した場合に、上下方向において上部ほど狭く、下部ほど広くなっている（Ｇ１＜Ｇ２）。
【００３２】
上記実施形態の食器洗浄機１では、ドア部５を閉じたときにドア部５の左右両端から湯気を逃がす連通路Ｐを形成することにより、洗浄室３内の内圧が上昇することを抑制している。連通路Ｐにおいて、ラック案内板５５と収容部３２との間の隙間の間隔が、上下方向において上側ほど狭く、下側ほど広くなるように形成されている部分がある。これにより、洗浄室３の内部において上方に流れる湯気が、連通路Ｐを通って洗浄室３の外部に漏れ出すことを抑制できる。この結果、ドア部５と本体部２との間から洗浄室３の外部に漏れ出す湯気の量を低減し、結露の発生を抑制することができる。
【００３３】
上記実施形態の食器洗浄機１では、ドア部５が閉じられる場合、ラック案内板５５は収容部３２の下端側から上端側に向かって入り込んでいく。図３に示されるように、ラック案内板５５と収容部３２（隙間埋め部材３５の隙間調整部３５Ｂ）との距離は、収容部３２の下方ほど広く形成されているので、各部品の形状や取付にばらつきがあった場合であっても、ラック案内板５５と隙間埋め部材３５とが互いに接触することが抑制される。この結果、ドアがずれた場合であっても、互いの部材が接触することが抑制され、互いの部材に傷が付くことが防止できる。
【００３４】
上記実施形態の食器洗浄機１では、側壁３１と対向部３３Ｃとによって挟まれる空間に配置される間隔保持部３５Ａが内側から対向部３３Ｃを支持するので、対向部３３Ｃの強度を補強することができる。これにより、水漏れ防止板３３がクランク形状に曲げ加工された場合に、角度がばらつき易く変形がし易い対向部３３Ｃであっても、対向部３３Ｃが収容空間３２Ａを狭くする方向に変形することを抑制できる。また、洗浄室３内にラックを出し入れする際に、当該ラックが対向部３３Ｃに衝突した場合であっても、対向部３３Ｃが収容空間３２Ａを狭くする方向に変形することを抑制できる。また、対向部３３Ｃの収容空間３２Ａを狭くする方向への変形を抑制することにより、連通路Ｐを形成するラック案内板５５と収容部３２との間の隙間の間隔を所定の値に維持することができる。
【００３５】
以上、一実施形態について説明したが、本発明は、上記実施形態に限られるものではなく、発明の趣旨を逸脱しない範囲で種々の変更が可能である。
【００３６】
＜第１変形例＞
上記実施形態の食器洗浄機１では、図３に示されるように、隙間調整部３５Ｂは、ラック案内板５５との距離（隙間の間隔）が、上下方向における上側から下側に向けて連続的に長くなるように形成（Ｇ２＞Ｇ１）される例を挙げて説明したが、本発明はこれに限定されない。
【００３７】
例えば、図５（Ａ）に示されるように、隙間埋め部材１３５における隙間調整部１３５Ｂは、ラック案内板５５との距離（隙間の間隔）が、上下方向における上端から下端に向かう途中の位置Ｐ２に向けて連続的に長くなるよう形成（Ｇ２＞Ｇ１）されてもよい。つまり、隙間調整部１３５Ｂは、図５（Ａ）に示される前方向から正面視した場合、左右方向の肉厚が上下方向における上端から下端に向かう途中の位置Ｐ２に向けて連続的に薄くなるように形成されてもよい（ｔ１１＞ｔ１２）。
【００３８】
また、例えば、図５（Ｂ）に示されるように、隙間埋め部材２３５における隙間調整部２３５Ｂは、ラック案内板５５との距離（隙間の間隔）が、上下方向における上端から下端に向かう途中の位置Ｐ１までは同じに形成され、位置Ｐ１から位置Ｐ２に向けて連続的に長くなるよう形成（Ｇ２２＞Ｇ２１）され、位置Ｐ２から下端までは同じに形成されてもよい。つまり、隙間調整部２３５Ｂは、図５（Ｂ）に示される前方向から正面視した場合、左右方向の肉厚が、上下方向における上端から下端に向かう途中の位置Ｐ１までは同じに形成され、位置Ｐ１から位置Ｐ２に向けて連続的に薄くなるよう形成（ｔ２１＞ｔ２２）され、位置Ｐ２から下端までは同じに形成されてもよい。
【００３９】
また、例えば、図５（Ｃ）に示されるように、隙間埋め部材３３５における隙間調整部３３５Ｂは、ラック案内板５５との距離（隙間の間隔）が、上下方向における上端から下端に向かう途中の位置Ｐ１までは同じに形成され、位置Ｐ１から下端に向けて連続的に長くなるよう形成（Ｇ３２＞Ｇ３１）されてもよい。つまり、隙間調整部３３５Ｂは、図５（Ｃ）に示される前方向から正面視した場合、左右方向の肉厚が、上下方向における上端から下端に向かう途中の位置Ｐ１までは同じに形成され、位置Ｐ１から下端に向けて連続的に薄くなるように形成（ｔ３１＞ｔ３２）されてもよい。
【００４０】
隙間調整部１３５Ｂ，２３５Ｂ，３３５Ｂは、全体的に見れば、ラック案内板５５との距離（隙間の間隔）が、上下方向における上側から下側に向けて段階的に長くなるように形成されている。言い換えれば、隙間調整部１３５Ｂ，２３５Ｂ，３３５Ｂについての左右方向の肉厚が、上下方向における上側から下側に向けて段階的に薄くなるように形成されている。
【００４１】
上記実施形態の食器洗浄機１を含め、隙間調整部１３５Ｂ，２３５Ｂ，３３５Ｂとラック案内板５５との距離（隙間の間隔）は、洗浄室３の内部の内圧が維持できる程度に、上下方向における上方から下方に向けて狭い部分を長く形成することが好ましい。
【００４２】
＜その他の変形例＞
上記実施形態の食器洗浄機１及び変形例では、図２（Ａ）に示されるように、収容部３２が、側壁３１、水漏れ防止板３３及び隙間埋め部材３５によって形成される例を挙げて説明したが、本発明はこれに限定されない。例えば、収容部３２は、前方に開口する、いわゆるコの字状部材によって形成してもよい。コの字状部材は、例えば樹脂を材料とするインジェクション成形により形成することができる。また、上記実施形態における水漏れ防止板３３及び隙間埋め部材３５は、樹脂を材料とするインジェクション成形により一体成形してもよい。
【００４３】
また、上記実施形態の食器洗浄機１及び変形例では、図３に示されるように、連通路Ｐの出口部分に、ラック案内板５５との距離（隙間の間隔）が、上下方向における上側から下側に向けて連続的に長くなるように形成（Ｇ１＜Ｇ２）される隙間調整部３５Ｂが、配置される例を挙げて説明したが、本発明はこれに限定されない。例えば、隙間調整部３５Ｂは、対向部３３Ｃとラック案内板５５との間に配置されてもよく、連通路Ｐのどこかに配置されていればよい。
【００４４】
また、上記実施形態の食器洗浄機１及び変形例では、ドア部５を閉じたときに前方から収容部３２に入り込む延設部としてラック案内板５５を適用する例を挙げて説明したが、本発明はこれに限定されない。例えば、洗浄室３内にラックを案内するラック案内板５５とは別の部分として、ドア部５を閉じたときに、洗浄室３側に突出すると共にドア部５の回動軸が延在する左右方向における両端部において上下方向に延在する突起部（延設部）を設けてもよい。
【符号の説明】
【００４５】
１…食器洗浄機（洗浄機）、２…本体部、３…洗浄室、３Ｂ…開口部、５…ドア部、３１…側壁、３２…収容部、３２Ａ…収容空間、３３…水漏れ防止板、３３Ａ…固定部、３３Ｂ…接続部、３３Ｃ…対向部、３５…隙間埋め部材、３５Ａ…間隔保持部、３５Ｂ…隙間調整部、３５Ｃ…対向部、５５…ラック案内板（延設部）、１３５，２３５，３３５…隙間埋め部材、１３５Ｂ，２３５Ｂ，３３５Ｂ…隙間調整部。
【図１】
0006403492.tif 000002
【図２】
0006403492.tif 000003
【図３】
0006403492.tif 000004
【図４】
0006403492.tif 000005
【図５】
0006403492.tif 000006